(57)【要約】【課題】本発明は除湿機に関するもので、洗濯物の生乾き特有の臭いの発生を抑制することを目的とするものである。【解決手段】そしてこの目的を達成するために本発明は、本体ケース１内に、この本体ケース１の吸気口２から吸込んだ空気を、吸湿経路１４の熱交換器１６を通過後、排気口３から本体ケース１外に排気する送風路（矢印Ｂ）と、前記吸湿経路の熱交換器をバイパス後、排気口３から本体ケース１外に排気する送風路１７とを設け、この送風路１７には、静電霧化手段１８を設けた。【選択図】図１
2010274183.tif 000002
【特許請求の範囲】
【請求項１】
吸気口と排気口を有する本体ケースと、この本体ケース内に設けられるとともに、吸湿部と放湿部を有する除湿ロータと、前記本体ケースの吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設けた除湿機。
【請求項２】
静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとを備え、前記放熱フィンを第一の送風機内に突出させた請求項１に記載の除湿機。
【請求項３】
第一の送風機は、吸気部と、排気部を有するケーシングと、このケーシング内に設けたファンと、このファンを駆動するモータとを有し、前記ケーシング内のファンと排気部間に、静電霧化手段の放熱フィンを突出させた請求項２に記載の除湿機。
【請求項４】
ケーシング内のファンと排気部間で、ファンの回転上流側に、静電霧化手段の放熱フィンを突出させた請求項３に記載の除湿機。
【請求項５】
第三の送風路を、第一の送風機のファンと、排気部間のケーシングに連結した請求項３または４に記載の除湿機。
【請求項６】
第三の送風路の、静電霧化手段の上流側には、消音機構を設けた請求項１〜５のいずれか一つに記載の除湿機。
【請求項７】
消音機構は、第三の送風路内に複数の突出壁を設けて構成した請求項６に記載の除湿機。
【発明の詳細な説明】
【技術分野】
【０００１】
本発明は、除湿ロータを用いた除湿機に関するものである。
【背景技術】
【０００２】
従来のこの種除湿機の構造は、以下のようになっていた。
【０００３】
すなわち、吸気口と排気口を有する本体ケースと、この本体ケース内に設けられるとともに、吸湿部と放湿部を有する除湿ロータと、前記本体ケースの吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有する構成となっていた（例えば下記特許文献１）。
【０００４】
すなわち、上記従来例においては、吸湿経路内において、ヒータで加熱した空気を除湿ロータの放湿部に供給することで、この除湿ロータが、その吸湿部で捉えた湿気を放出させ、次に、この加湿状態の空気を、この放湿部の風下側に設けた熱交換器で、本体ケース内に吸込んだ室内空気と熱交換させることで冷却し、これにより、前記加湿状態の空気を結露させ、除湿運転をしているのである。
【先行技術文献】
【特許文献】
【０００５】
【特許文献１】特開２００３−２３６３３０号公報
【発明の概要】
【発明が解決しようとする課題】
【０００６】
上記従来例における課題は、例えば室内で洗濯物を乾かしている場合に、洗濯物の生乾き部分から、生乾き特有の臭いが発生するということであった。
【０００７】
すなわち、上記除湿機は、室内の除湿性能は十分に高いのではあるが、吸湿経路の熱交換器で、本体ケース内に吸込んだ室内空気と熱交換させることで、室内空気は温度が上昇傾向になり、このことが影響しているためか、洗濯物の生乾き部分から、生乾き特有の臭いが発生してしまうのであった。
【０００８】
そこで本発明は、洗濯物の生乾き部分から、生乾き特有の臭いが発生してしまうのを抑制することを目的とするものである。
【課題を解決するための手段】
【０００９】
そしてこの目的を達成するために本発明は、吸気口と排気口を有する本体ケースと、この本体ケース内に設けられるとともに、吸湿部と放湿部を有する除湿ロータと、前記本体ケースの吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設け、これにより初期の目的を達成するものである。
【発明の効果】
【００１０】
以上のように本発明は、吸気口と排気口を有する本体ケースと、この本体ケース内に設けられるとともに、吸湿部と放湿部を有する除湿ロータと、前記本体ケースの吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設けたものであるので、洗濯物の生乾き部分から、生乾き特有の臭いが発生してしまうのを抑制することができる。
【００１１】
すなわち、本発明においては、本体ケースの吸気口からこの本体ケース内に吸引された空気を、吸湿経路の熱交換器をバイパス後、前記排気口から本体ケース外に排気する第三の送風路を設けるとともに、この第三の送風路に、静電霧化手段を設けたものであるので、帯電微粒子水が、乾燥空気とともに、排気口から本体ケース外に排気されることになる。
【００１２】
このため、帯電微粒子水中のヒドロキシルラジカルが洗濯物の生乾き特有の臭いと反応し、それを酸化させることで、臭いの発生を抑制することができるのである。
【００１３】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により洗濯物の生乾き特有の臭いが分解、除去されるのである。
【図面の簡単な説明】
【００１４】
【図１】本発明の一実施形態を示す平面断面図
【図２】同分解斜視図
【図３】同送風機の断面図
【図４】同静電霧化手段を示す正面図
【図５】同静電霧化手段部分の断面図
【発明を実施するための形態】
【００１５】
以下本発明の実施形態について図面を参照しながら説明する。
【００１６】
（実施の形態）
図１において、１は背面側に吸気口２、前面上方に排気口３を有する本体ケースであり、この本体ケース１の前面の下方には、受皿４が出没自在に設けられている。
【００１７】
また、この本体ケース１内には、吸湿部５と放湿部６を有する除湿ロータ７が回転自在に配置されており、その回転駆動はモータ８によって行われるようになっている。
【００１８】
さらに、この本体ケース１内の前方には、図１の矢印Ａのごとく、前記本体ケース１の吸気口２から吸込んだ室内空気を、前記除湿ロータ７の吸湿部５を通過後、前記排気口３から本体ケース１外に排気する送風機９を設けている。
【００１９】
この送風機９は、図２に示す背面側の吸気部１０と、図２、図３に示す上方の排気部１１を有するケーシング１２と、このケーシング１２内に設けたファン１３と、このファン１３を駆動するモータ９ａとを有し、前記除湿ロータ７の吸湿部５を通過後の室内空気は、吸気部１０からケーシング１２内に流入し、ファン１３で加圧され、図３のごとく前記排気部１１と、排気口３を介して本体ケース１外に排気される。
【００２０】
また、前記本体ケース１内には、図１に示すように吸湿経路１４が設けられており、この吸湿経路１４は、前記除湿ロータ７の放湿部６と、この放湿部６の風上側に設けたヒータ１５と、この放湿部６の風下側に設けた熱交換器１６と、この吸湿経路１４内の空気を循環させる送風機９とを有している。なお、この吸湿経路１４は本体ケース１内の通気路としては独立している。
【００２１】
さらに、この本体ケース１内には図１の矢印Ｂに示すごとく、送風機９によって前記吸気口２から本体ケース１内に吸込んだ室内空気を、前記吸湿経路１４の熱交換器１６を通過後、送風機９を経由し、前記排気口３から本体ケース１外に排気する送風路が形成されている。
【００２２】
ただし、矢印Ｂの室内空気は、熱交換器１６内を通過する吸湿経路１４の空気とは、この熱交換器１６を構成する熱伝導面を介して熱交換されるだけで、この熱交換器１６部分で混合されることはない。
【００２３】
ここで、吸湿経路１４の動作について説明すると、ヒータ１５で加熱された、吸湿経路１４の空気は、放湿部６（除湿ロータ７の吸湿部５が回転してこの放湿部６）において、湿気を放出させ、この高温、過湿状態の空気が、風下側の熱交換器１６に送られる。
【００２４】
この熱交換器１６には上述のごとく、矢印Ｂに示すごとく、送風機９によって室内空気が送風されているので、前記高温、過湿状態の空気は冷却され、これにより結露し、これが前記受皿４内に溜められる。
【００２５】
除湿ロータ７の吸湿部５は、矢印Ａで示すごとく室内空気が通過するごとに、湿気を吸着し、これが除湿ロータ７の回転により、次に上述した放湿部６となって、吸湿経路１４内に湿気を放出させ、このような循環により室内空気の除湿が行われる。
【００２６】
さて、本実施形態では、本体ケース１内に、矢印Ｃで示すように、前記吸湿経路１４の熱交換器１６をバイパス後、前記排気口３から本体ケース１外に排気する送風路１７とを設け、この送風路１７には、図４で示した静電霧化手段１８を設けた。
【００２７】
具体的には、この静電霧化手段１８は、放電電極１９と、この放電電極１９に対向して配置された対向電極２０と、これらの対向電極２０と放電電極１９間に高電圧（この実施形態では−５ＫＶ）を印加する高電圧印部２１と、前記放電電極１９を冷却する冷却部として配置したペルチェ素子２２と、このペルチェ素子２２の熱を放熱する放熱フィン２３とを備えている。
【００２８】
ペルチェ素子２２は０．７５Ｖ〜２．８Ｖ程度の電圧を印加するものであり、この実施形態では、放電電極１９側を低温に、放熱フィン２３側を高温にする。
【００２９】
放電電極１９は図１、図３、図５に示すように、送風路１７の、送風機９のケーシング１２接続部近傍に配置されている。
【００３０】
よって、送風路１７を通過することで、熱交換器１６で加熱されることなく進んだ室内空気が、この放電電極１９部分で冷却されることで、結露すると、帯電微粒子水が発生することになる。
【００３１】
また、送風路１７は上述のごとく、送風機９のケーシング１２接続部近傍に連結されているので、ファン１３によって排気部１１に向かう空気により霧吹きの原理で、帯電微粒子水が前記ケーシング１２内に吸引される。
【００３２】
このため、帯電微粒子水が、次に、乾燥空気とともに、排気口３から本体ケース１外に排気され、帯電微粒子水中のヒドロキシルラジカルが洗濯物の生乾き特有の臭いと反応し、それを酸化させることで、臭いの発生を抑制することができるのである。
【００３３】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により洗濯物の生乾き特有の臭いが分解、除去されるのである。
【００３４】
また、静電霧化手段１８の放熱フィン２３は、ケーシング１２内のファン１３と排気部１１間に、突出させているので、ファン１３によって排気部１１に向かう空気により冷却されるようになっている。
【００３５】
さらに、この放熱フィン２３は、図３のごとく、ケーシング１２内のファン１３と排気部１１間で、ファン１３の回転上流側に空気流と平行になるように突出させているので、ファン１３の送風を、この図３にも示すように、排気部１１の左側側にも広げることができる。
【００３６】
つまり、この放熱フィン２３で送風ガイドを行わなければ、ファン１３の回転にしたがって排気部１１の右側だけに、ファン１３によって排気部１１に向かう空気が集中してしまうのを、この放熱フィン２３の送風ガイドにより、左側にも広げ、これにより排気部１１を広く活用しようとしているのである。
【００３７】
また、送風路１７の、静電霧化手段１８の上流側には、送風路１７内に複数の突出壁２４を設けて構成した消音機構２５を配置しているので、静電霧化手段１８による動作音を小さくすることができる。
【産業上の利用可能性】
【００３８】
以上のように本発明は、吸気口と排気口を有する本体ケースと、この本体ケース内に設けられるとともに、吸湿部と放湿部を有する除湿ロータと、前記本体ケースの吸気口から吸込んだ空気を、第一の送風路により、前記除湿ロータの吸湿部を通過後、前記排気口から本体ケース外に排気する第一の送風機と、前記本体ケース内に設けられた吸湿経路とを備え、前記吸湿経路は、前記除湿ロータの放湿部と、この放湿部の風上側に設けたヒータと、この放湿部の風下側に設けた熱交換器と、この吸湿経路内の空気を循環させる第二の送風機とを有し、前記本体ケース内に、前記本体ケースの吸気口から吸込んだ空気を、前記吸湿経路の熱交換器を通過後、前記排気口から本体ケース外に排気する第二の送風路と、前記吸湿経路の熱交換器をバイパス後、前記排気口から本体ケース外に排気する第三の送風路とを設け、前記第三の送風路には、静電霧化手段を設けたものであるので、洗濯物の生乾き部分から、生乾き特有の臭いが発生してしまうのを抑制することができる。
【００３９】
すなわち、本発明においては、本体ケースの吸気口からこの本体ケース内に吸引された空気を、吸湿経路の熱交換器をバイパス後、前記排気口から本体ケース外に排気する第三の送風路を設けるとともに、この第三の送風路に、静電霧化手段を設けたものであるので、帯電微粒子水が、乾燥空気とともに、排気口から本体ケース外に排気されることになる。
【００４０】
このため、帯電微粒子水中のヒドロキシルラジカルが洗濯物の生乾き特有の臭いと反応し、それを酸化させることで、臭いの発生を抑制することができるのである。
【００４１】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により洗濯物の生乾き特有の臭いが分解、除去されるのである。
【符号の説明】
【００４２】
１      本体ケース
２      吸気口
３      排気口
４      受皿
５      吸湿部
６      放湿部
７      除湿ロータ
８      モータ
９      送風機
９ａ    モータ
１０    吸気部
１１    排気部
１２    ケーシング
１３    ファン
１４    吸湿経路
１５    ヒータ
１６    熱交換器
１７    送風路
１８    静電霧化手段
１９    放電電極
２０    対向電極
２１    高電圧印部
２２    ペルチェ素子
２３    放熱フィン
２４    突出壁
２５    消音機構
【図１】
2010274183.tif 000003
【図２】
2010274183.tif 000004
【図３】
2010274183.tif 000005
【図４】
2010274183.tif 000006
【図５】
2010274183.tif 000007